(57)【要約】  壁を伴う本体であって、本体の内部で壁が２つの処理チャンバを画定している、本体と、２つの処理チャンバの間に流体的な連結を形成している、壁を通る通路と、本体に取り外し可能に連結されたリッドであって、通路と流体連結している入口を有するリッドと、処理チャンバの外部でリッドに連結されたガス活性装置であって、リッドの入口と流体連結している出口を有する、ガス活性装置と、各処理チャンバ内に配置された基板支持体であって、各々が少なくとも２つの加熱ゾーンを有し、各加熱ゾーンに加熱素子が埋め込まれている、基板支持体と、各基板支持体に面している、リッドに連結されたガス分配装置と、各ガス分配装置のエッジにおいてリッドに連結された熱制御部材とを有する、半導体処理装置について説明している。【選択図】図１
2019514214.tif 000002
【特許請求の範囲】
【請求項１】
壁を伴う本体であって、前記本体の内部で前記壁が２つの処理チャンバを画定している、本体と、
前記２つの処理チャンバの間に流体的な連結を形成している、前記壁を通る通路と、
前記本体に取り外し可能に連結されたリッドであって、前記通路と流体連結している入口を有するリッドと、
前記処理チャンバの外部で前記リッドに連結されたガス活性装置であって、前記リッドの前記入口と流体連結している出口を有する、ガス活性装置と、
各処理チャンバ内に配置された基板支持体であって、各々が少なくとも２つの加熱ゾーンを有する、基板支持体と、
各基板支持体に面している、前記リッドに連結されたガス分配装置と、
各ガス分配装置のエッジにおいて前記リッドに連結された熱制御部材とを備える、半導体処理装置。
【請求項２】
前記通路内に化学的に不活性なライナを更に備え、前記化学的に不活性なライナが、前記リッドの入口と位置が合っている開口を有する、請求項１に記載の半導体処理装置。
【請求項３】
前記ガス活性装置の注入口に連結された、活性化ガスのソース、酸素含有ガスのソース、窒素含有ガスのソース、及び、プロロンギングガスのソースを更に備える、請求項１に記載の半導体処理装置。
【請求項４】
前記活性化ガスはAr又はHeであり、前記酸素含有ガスはO2、CO、又はCO2であり、前記窒素含有ガスはN2、NF3、又はNH3であり、前記プロロンギングガスはN2又はHeである、請求項３に記載の半導体処理装置。
【請求項５】
前記基板支持体が、複数の基板支持面を備える基板支持エリアであって、前記複数の基板支持面は前記基板支持エリアから延在している、基板支持エリアと、複数の位置特定フィーチャを伴う壁であって、複数の位置特定フィーチャは前記基板支持エリアを取り囲む前記壁から延在している、壁とを有する、請求項１に記載の半導体処理装置。
【請求項６】
各処理チャンバが、排気開口を伴うフロアと、前記フロアに連結されたポンピングブロックとを有し、前記ポンピングブロックは、前記排気開口と整合している開口と、複数のポンピング入口によって前記ポンピングブロックの前記開口に連結された環状ポンピングチャネルと、前記環状ポンピングチャネルに流体的に連結された出口とを有し、前記基板支持体は、前記排気開口及び前記ポンピングブロックの開口を通るように配置された導管を有する、請求項５に記載の半導体処理装置。
【請求項７】
前記本体が前記本体の外部壁を通る、各処理チャンバのための基板アクセス開口を有し、前記外部壁が、各基板アクセス開口と流体連結しているパージガス入口を有する、請求項１に記載の半導体処理装置。
【請求項８】
前記外部壁が、リッドの近位の第１エッジと、前記第１エッジの反対側の第２エッジとを有し、前記パージガス入口は前記外部壁の前記第１エッジに形成され、前記外部壁を通る通路が、各基板アクセス開口と対応するパージガス入口とを流体的に連結している、請求項７に記載の半導体処理装置。
【請求項９】
各基板アクセス開口が、複数のグループになるよう配置された複数のパージガス入口を有する、請求項８に記載の半導体処理装置。
【請求項１０】
壁を伴う本体であって、前記本体の内部で前記壁が２つの処理チャンバを画定している、本体と、
前記２つの処理チャンバの間に流体的な連結を形成している、前記壁を通る通路と、
前記本体に取り外し可能に連結されたリッドであって、前記通路と流体連結している入口を有するリッドと、
前記処理チャンバの外部で前記リッドに連結されたガス活性装置であって、前記リッドの前記入口と流体連結している出口を有する、ガス活性装置と、
各処理チャンバ内に配置された基板支持体であって、各々が、少なくとも２つの加熱ゾーンと１つの基板支持エリアとを有し、前記基板支持エリアは、前記基板支持エリアから延在している複数の基板支持面を備える、基板支持体と、
各基板支持体に面している、前記リッドに連結されたガス分配装置と、
各ガス分配装置のエッジにおいて前記リッドに連結された熱制御部材とを備える、半導体処理装置。
【請求項１１】
前記基板支持体が、複数の位置特定フィーチャを伴う壁であって、前記複数の位置特定フィーチャは前記基板支持エリアを取り囲む前記壁から延在している、壁を有する、請求項１０に記載の半導体処理装置。
【請求項１２】
各処理チャンバが、排気開口を伴うフロアと、前記フロアに連結されたポンピングブロックとを有し、前記ポンピングブロックは、前記排気開口と整合している開口と、複数のポンピング入口によって前記ポンピングブロックの前記開口に連結された環状ポンピングチャネルと、前記環状ポンピングチャネルに流体的に連結された出口とを有し、前記基板支持体は、前記排気開口及び前記ポンピングブロックの開口を通るように配置された導管を有する、請求項１１に記載の半導体処理装置。
【請求項１３】
前記通路内に石英ライナを更に備え、前記石英ライナは、前記リッドの入口と位置が合っている開口を有する、請求項１０に記載の半導体処理装置。
【請求項１４】
壁を伴う本体であって、前記本体の内部で前記壁が２つの処理チャンバを画定している、本体と、
前記２つの処理チャンバの間に流体的な連結を形成している、前記壁を通る通路と、
前記本体に取り外し可能に連結されたリッドであって、前記通路と流体連結している入口を有するリッドと、
前記処理チャンバの外部で前記リッドに連結された遠隔プラズマユニットであって、前記リッドの前記入口と流体連結している出口を有する、遠隔プラズマユニットと、
各処理チャンバ内に配置された基板支持体であって、各々が、少なくとも２つの加熱ゾーンと１つの基板支持エリアとを有し、前記基板支持エリアは、前記基板支持エリアから延在している複数の基板支持面を備える、基板支持体と、
各基板支持体に面している、前記リッドに連結されたガス分配装置と、
各ガス分配装置のエッジにおいて前記リッドに連結された熱制御部材とを備える、半導体処理装置。
【請求項１５】
各処理チャンバが、排気開口を伴うフロアと、前記フロアに連結されたポンピングブロックとを有し、前記ポンピングブロックは、前記排気開口と整合している開口と、複数のポンピング入口によって前記ポンピングブロックの前記開口に連結された環状ポンピングチャネルと、前記環状ポンピングチャネルに流体的に連結された出口とを有し、前記基板支持体は、前記排気開口及び前記ポンピングブロックの開口を通るように配置された導管を有する、請求項１４に記載の半導体処理装置。
【発明の詳細な説明】
【背景技術】
【０００１】
半導体デバイスのサイズは縮小を続けている。半導体デバイスの限界寸法は10nm未満にまで縮小しているため、かかるスケールでシリコンを使用するにあたって明らかになりつつある性能上の問題を克服するために、新たな半導体材料が研究されている。デバイスの様々な部分の半導体特性を改善するための合金として、シリコンと共にゲルマニウムが含まれることが多くなっている。例えば、チャネルエリア、ソース・ドレインエリア、及び、ソースエリアとドレインエリアとの接点は、シリコン−ゲルマニウム合金で作られることが多くなっている。論理上の構造の典型であるように、上記のエリアは、一般的に、ホウ素などの導電性強化材料でドープされる。同じく典型的であるように、ドーピングプロセスには、様々な構造物の抵抗を低減し、かつドーパントの導電性を強化する特徴を利用するための、活性化プロセスが続く。チャネル及びソース／ドレインのエリアは、典型的には別個のステップで、ドープされ、活性化される。ただし、一部のプロセスでは、これらの領域は、１つのドーピングステップと１つの熱処理ステップにおいて、ドープされ、活性化される。接点領域は、典型的には、後続のステップでドープされ、活性化される。これらの領域のサイズが小さいことにより、後続の熱処理中に劣化する可能性が高まる。ホウ素でドープされたシリコンゲルマニウム（SiGe:B）の接点を活性化させるために、一般的に使用されている熱処理が使用される場合、チャネル領域に誘起された張力（strain）が緩み、チャネル領域及びソース／ドレイン領域におけるドーパントプロファイルが劣化しうることが、見いだされている。10nm以下のデバイスにおけるドープされた接点を活性化させうる熱処理が、必要とされている。
【発明の概要】
【０００２】
本書に記載の実施形態は、壁を伴う本体であって、この本体の内部で壁が２つの処理チャンバを画定している、本体と、２つの処理チャンバの間に流体的な連結を形成している、壁を通る通路と、本体に取り外し可能に連結されたリッドであって、通路と流体連結している入口を有するリッドと、処理チャンバの外部でリッドに連結されたガス活性装置であって、リッドの入口と流体連結している出口を有する、ガス活性装置と、各処理チャンバ内に配置された基板支持体であって、各々が少なくとも２つの加熱ゾーンを有する、基板支持体と、各基板支持体に面している、リッドに連結されたガス分配装置と、各ガス分配装置のエッジにおいてリッドに連結された熱制御部材とを備える、半導体処理装置を提供する。
【０００３】
他の実施形態は、壁を伴う本体であって、この本体の内部で壁が２つの処理チャンバを画定している、本体と、２つの処理チャンバの間に流体的な連結を形成している、壁を通る通路と、本体に取り外し可能に連結されたリッドであって、通路と流体連結している入口を有するリッドと、処理チャンバの外部でリッドに連結されたガス活性装置であって、リッドの入口と流体連結している出口を有する、ガス活性装置と、各処理チャンバ内に配置された基板支持体であって、各々が、少なくとも２つの加熱ゾーンと１つの基板支持エリアとを有し、基板支持エリアは、基板支持エリアから延在する複数の基板支持面を備える、基板支持体と、各基板支持体に面している、リッドに連結されたガス分配装置と、各ガス分配装置のエッジにおいてリッドに連結された熱制御部材とを備える、半導体処理装置を提供する。
【０００４】
他の実施形態は、壁を伴う本体であって、この本体の内部で壁が２つの処理チャンバを画定している、本体と、２つの処理チャンバの間に流体的な連結を形成している、壁を通る通路と、本体に取り外し可能に連結されたリッドであって、通路と流体連結している入口を有するリッドと、処理チャンバの外部でリッドに連結された遠隔プラズマユニットであって、リッドの入口と流体連結している出口を有する、遠隔プラズマユニットと、各処理チャンバ内に配置された基板支持体であって、各々が、少なくとも２つの加熱ゾーンと１つの基板支持エリアとを有し、基板支持エリアは、基板支持エリアから延在する複数の基板支持面を備える、基板支持体と、各基板支持体に面している、リッドに連結されたガス分配装置と、各ガス分配装置のエッジにおいてリッドに連結された熱制御部材とを備える、半導体処理装置を提供する。
【０００５】
本開示の上述の特徴を詳しく理解しうるように、上記で簡単に要約した本開示のより詳細な説明が、実施形態を参照することによって得られる。一部の実施形態は、付随する図面に示されている。しかし、付随する図面は、例示的な実施形態のみを示しており、したがって、その範囲を限定すると見なすべきではなく、他の等しく有効な実施形態を許容しうることに、留意されたい。
【図面の簡単な説明】
【０００６】
【図１】一実施形態による半導体処理装置の断面斜視図である。
【図２】図1の装置のフロアエリアの詳細図である。
【図３】図1の装置の排気ポンピング流の概略図である。
【図４】図1の装置の処理チャンバのリッドエリアの詳細図である。
【図５】装置の内部フィーチャを示している、図１の装置の部分分解図である。
【発明を実施するための形態】
【０００７】
理解を容易にするために、可能な場合には、複数の図に共通する同一の要素を指し示すのに同一の参照番号を使用した。一実施形態の要素及び特徴は、更なる記述がなくとも、他の実施形態に有益に組み込まれうると、想定されている。
【０００８】
図１は、一実施形態による半導体処理装置１００の断面斜視図である。装置100は、２つの側壁１０４と、２つの側壁１０４をひとつに連結しているフロア１０８とを有する、本体１０２を含む。リッド１０６は、フロア１０８の反対側で、本体１０２に取り外し可能に連結されている。本体１０２は、本体内部に２つの処理チャンバ112及び114を画定する、仕切り壁１１０も有する。ゆえに、半導体装置１００はツインチャンバ装置であると言える。処理チャンバ112、１１４に活性ガスを提供するために、ガス活性装置116がリッド１０６に連結される。壁１１０を通る通路１１８が、処理チャンバ112、114を流体的にひとつに連結し、ガス活性装置１１６の出口１２０が、リッド１０６に形成された入口１２２を通じて、通路と流体連結している。
【０００９】
チャンバ112、114の各々は基板支持体１２４を有する（分かりやすくするために、そのうちの１つだけを図１に示している）。基板支持体１２４は、チャンバ内部の中心位置に配置される。基板支持体１２４は、各々に加熱素子１３１が埋め込まれている、少なくとも２つの加熱ゾーン１２６及び１２８を有し、加熱素子１３１は、抵抗性素子又は流体導管でありうる。各基板支持体１２４は、基板支持エリア１３０を有する。基板支持エリア１３０の特徴は、基板支持エリア１３０上で処理される基板とチャンバ内の処理環境とに適応可能な、表面材料である。例示的な材料は、石英、並びに、酸化アルミニウム及び窒化アルミニウムなどのセラミックを含む。基板支持エリア１３０は、基板支持エリア１３０を取り囲む壁１３２によって画定される。基板は、典型的には、基板支持エリア１３０に置かれ、かつ、基板の周縁部の全部または一部の周囲が壁に接触しうる。複数の位置特定（location）フィーチャ１３４が、壁から延在しており、かつ、基板が基板支持体１２４に運ばれた時の、基板支持エリア１３０上での基板の位置特定を支援する。壁１３２は、基板支持体のふち１３６も画定する。壁132は、約1μm〜約500μm（例えば約5μm〜約50μm、例としては約10μm）の高さを有しうる。
【００１０】
基板支持エリア１３０は、基板支持エリア１３０から延在している、複数の基板支持面１３８を有する。基板支持面１３８は、基板支持体１２４とその上に置かれている基板との間の接触を最小限にするよう、基板支持エリア１３０の上に上昇する。基板支持面138は、約1μm〜約500μm（例えば約5μm〜約50μm、例としては約25μm）の高さを有しうる。基板支持面１３８は、円柱状ポスト又は丸み付けされた突起でありうる。
【００１１】
基板支持エリア１３０は、その上に形成された複数の溝１４０も有する。周縁溝１４２が基板支持エリア１３０の周縁部に沿って巡っている一方、複数の直線溝１４４は、周縁溝１４２から基板支持エリア１３０の中心領域に向かって走っている。一又は複数の入口１４６（図１の実施形態では２つの入口１４６が存在している）が、真空を適用するために、基板支持エリア１３０の中心領域に設けられる。基板支持体１２４は真空チャックであるが、静電チャック又はその他の固定機構も使用されうる。入口１４６は、基板の基板支持面１３８と接触している側の圧力を低くするために、真空源（図示せず）と基板支持エリア１３０との間の流体連結を提供する。ガスは、基板支持エリア１３０の上方の基板支持面１３８の周囲を、溝１４０に沿って流れる。図１の実施形態では、各入口１４６から２つの直線溝１４４が走っており、１つの直線溝１４４は、周縁溝１４２の一方の側からもう一方の側まで、両方の入口１４６に接触して、基板支持体１２４の直径に沿って走っている。任意の便宜的な溝の構成が使用されうることに、留意すべきである。
【００１２】
一実施形態では、基板支持体１２４は、450oCまでの温度において動作しうる。かかる基板支持体１２４は、かかる高温に耐えうる材料又は複数の材料で作られうる。基板支持体１２４が複数の材料で作られる場合、これらの材料は、劣化も分離もなく高温に耐えうる方式で、統合される。場合によっては、基板支持体の材料が、熱処理を受けている基板によって放出されうる物質による化学的浸食に耐性を有することも、有用である。多くの場合、石英、並びに、酸化アルミニウム及び窒化アルミニウムなどのセラミックが適している。一実施形態では、基板支持体124はモノリシックな（monolithic）窒化アルミニウムである。
【００１３】
基板支持体１２４は、基板支持体１２４に埋め込まれた一又は複数の温度センサと、基板支持体１２４の外部にある一又は複数の温度センサとを有しうる。例えば、基板支持体の温度を直接感知するために、一又は複数の熱電対（図示せず）が、基板支持体１２４に埋め込まれうる。代替的又は追加的に、抵抗性温度センサが、加熱素子用の電力回路に連結されうる。一実施形態では、１つの熱電対が、外側加熱ゾーンの温度を感知するために基板支持体１２４に埋め込まれると共に、抵抗性温度センサが、内側加熱ゾーンの温度をモニタするために使用される。かかる構成により、基板支持体１２４の外側エッジにだけ熱電対を埋め込むことが可能になる（かかる熱電対には、メンテナンスのために容易にアクセスしうる）ことで、基板支持体１２４が単純化される。
【００１４】
ガス活性装置１１６は、場合によっては、遠隔プラズマユニットでありうる。ガス注入口１５０により、ガスが、囲われた区域１５２に流入すること、及び、性質が熱的、電気的、又は照射性でありうる活性部１５４によって励起されることが、可能になる。マイクロ波、RF、及びUVの活性部といった、標準的な活性部が使用されうる。ガス活性装置１１６は、通路１２２並びに処理チャンバ112及び114に流入するラジカルを生成する、遠隔プラズマユニットである。ガス活性装置１１６の出口１２０は、ラジカル不活性化を最小化するための大流量出口であるので、処理チャンバに流入するガスのラジカル含有量が高くなる。漏斗部１５５により、囲われた区域１５２内のラジカルガスの流れが、出口１２０に向かって導かれる。漏斗部１５５は、石英や、酸化アルミニウムなどのセラミックといった、化学的に不活性な材料でありうる。
【００１５】
処理チャンバ112、114にラジカルが流入する際の壁との再結合を最小化するために、化学的に不活性なライナ１５６が通路１２２内に配置されうる。ライナ１５６は、石英であってよく、かつ、通路１２２の壁に取り付けられうるか、又は取り外し可能でありうる。ライナ１５６は、ガス活性装置１１６の囲われた区域１５２から通路１２２（及びライナ１５６）を通り、処理チャンバ112及び114内に至る流体連結を維持するよう、ガス活性装置１１６の出口１２０と位置合わせされている、注入口１５８を有する。ライナ１５６が取り外し可能である場合、ライナ１５６を位置付けるための位置合わせフィーチャが設けられてよく、それにより、注入口１５８とガス活性装置１１６の出口の位置が合う。図１の実施形態では、位置付けフィーチャ１５７がライナ１５６の外側面に沿って設けられうる。この場合、位置付けフィーチャ１５７は円形であるが、位置付けフィーチャ１５７は、ライナ１５６を長手方向に位置付けるのに都合が良い、任意の形状でありうる。位置付けフィーチャ１５７は、通路１２２の表面の凹部１５９と整合する。図１の実施形態では、ライナ１５６と通路１２２とは、両方とも断面が長方形であるので、回転方向の位置合わせが確保される。通路１２２及びライナ１５６の断面が円形である実施形態では、位置付けフィーチャは、ライナ１５６の外側面から延在し、かつ通路１２２の表面の対応する凹部と整合する、タブでありうる。
【００１６】
ライナ１５６は、通路１２２に部分的に沿って、又は通路１２２の全長分だけ、延在しうる。場合によっては、ライナ１５６は、通路１２２を越えて処理チャンバ112、114の中まで延在しうる。基板処理向けにガスを活性化させるためにガス活性装置１１６が使用される一例では、ライナ１５６の端部は、基板支持体１２４のエッジの近傍（例えば、基板支持エリア１３０のエッジの近傍）に配置されうる。ライナ１５６は、ライナ１５６の中心から端部まで面積が一定の、流路を有する。しかし、他の実施形態では、ライナ１５６は、中心から端部に向かって広くなっている、流路を有しうる。図１の実施形態では、通路１２２の形状はライナ１５６の形状と一致している。広がっている流路をライナが有する場合、通路１２２は、それに一致した、中心から端部に向かって広がっている形状を有しうるか、又は、通路の端部においてライナに適合している、面積が一定の断面を有しうる。
【００１７】
装置１００は、リッド１０６内に配置された、熱制御部材１６０を有する。熱制御部材１６０は、リッドの熱制御を行うために、入口１６２で終端する、リッド１０６を通して配置された導管（図１では視認不可）を含む。この導管は、抵抗性の加熱用素子を収納しうるか、又は、加熱と冷却のいずれかのための熱伝達媒体の流れを可能にしうる。ガス活性装置１１６が熱を生成する場合、リッド１０６の温度を制御するために、冷却媒体が熱制御部材１６０内で使用されうる。同様の熱制御部材１６０が、装置１００のフロア１０８に図示されている。
【００１８】
基板支持体１２４の特徴は、基板支持体１２４において、ヒータ、温度センサ、及びチャック素子といった電気的素子に電力を供給するための、導管１７０である。導管１７０は、基板支持体１２４に真空を供給するためにも使用されうる。導管は、処理チャンバ112、114の各々のフロアの開口１７２に挿入されて、外部へのアクセスを提供する。基板支持体１２４は、リッド１０６に連結されている、処理チャンバ112、114の各々野中のシャワーヘッド１９０に面している。
【００１９】
処理チャンバ112、114の各々は、処理チャンバ112、114の壁における化学反応を防止するため、かつチャンバの熱均一性を向上させるために、一又は複数のライナを有する。壁ライナ１８０（図１に示しているように円筒形でありうる）は、通常、チャンバ壁を化学的浸食から保護し、かつ、基板支持体１２４の周囲のチャンバ空間を減少させる。フロアライナ１８２は、チャンバフロア１０８を化学的浸食から保護する。ライナ１８０及び１８２を加熱することでチャンバ内の熱不均一性を低下させることが可能になるよう、熱ライナ１８４も設けられうる。熱ライナ１８４がチャンバフロア１０８とフロアライナ１８２との間に設置されうるか、又は、フロアライナ１８２がチャンバフロア１０８と熱ライナ１８４との間に設置されうる。熱ライナ１８４は抵抗性加熱素子を含んでよく、処理チャンバ112、114のフロアを通る接続部により、熱ライナ１８４に電力が提供されうる。装置１００の１つのチャンバのみが熱ライナ１８４を伴って図示されているが、両方のチャンバがかかる熱ライナを有しうることに、留意されたい。
【００２０】
本体102は、単一物体として一体的に形成されうるか、又は、各チャンバ112、114は、仕切り壁を伴うツインチャンバ構成になるよう、例えばひとつにボルト留めされることによってひとつに連結されうる、複数の側壁を有しうる。かかる実施形態における個々のチャンバはそれぞれ１つの通路を有し、この通路は、チャンバ同士がひとつに連結されると、まとまって通路１２２を形成することになる。
【００２１】
図2は、装置１００のフロアエリアの詳細図である。図２は、図１には示していない、装置１００のフロア１０８に連結されたフィーチャを含んでいる。上述したように、開口１７２により、基板支持体１２４の導管１７０が、装置１００のフロア１０８を通って延在することが可能になる。処理チャンバ112、114の各々は、ポンピングブロック２０４によりフロア１０８に連結されているベローズ２０２によって、密封される。ポンピングブロック２０４は、チャンバフロア１０８の開口１７２と整合している開口２０３を有する。開口２０３は、複数のポンピング入口２０７を伴う壁２０５を有し、ポンピング入口２０７により、ガスが、ポンピングブロック２０４を通って環状ポンピングチャネル２０９内に入る。ガスを処理チャンバ１１２から除去するために、出口２０６がポンピングチャネル２０９に連結される。ポンピングブロック２０４のこの構造により、基板支持体１２４の導管１７０を中心とする、対称なポンピングがもたらされる。
【００２２】
ガスは、処理チャンバ112に流入し、基板支持体124の周囲を、開口172に向かって流れる。ガスは、開口１７２の、基板支持体１２４の導管１７０（図１）の周囲を通って、チャンバ１１２から出る。ガスは、ポンピングブロック２０４の出口２０６を通って、ポンピングブロック２０４に連結されたチャンバ排気ライン２０８に流入する。チャンバ排気ライン２０８内での堆積を防止するために、チャンバ排気ライン２０８の一部又は全体に、ヒータ２１０が設けられうる。チャンバ112、114の各々のチャンバ排気ライン２０８は、密封フランジ２１６によって、真空ポンプ（図示せず）に接続されているチャンバポンピングライン２１２に連結され、高コンダクタンスのポンピング経路を提供する。チャンバポンピングライン２１２には、パージガス入口２１８が設けられうる。
【００２３】
ベローズ２０２は、ベローズ２０２内の基板支持体１２４の導管１７０の周囲にパージガスを提供するための、パージガス入口２１４を有する。チャンバプロセスガスがベローズ２０２の内表面に堆積を形成することを防止するために、パージガスを、ベローズ２０２に流入させ、かつ、出口２０６に向かって上へと流すよう、パージガス源（図示せず）がパージガス入口２１４に連結されうる。ガス活性装置１１６（図１）が洗浄ガスを活性化させるために使用される場合、洗浄ガスがベローズ２０２の内表面に接触し、そこに望ましくない堆積があればそれを除去することを可能にするために、ベローズ２０２へのパージガスの流入は中断されうる。あるいは、洗浄ガスとベローズ２０２との間の相互作用が望ましくない場合には、洗浄ガスがベローズ２０２に進入することを防止するために、パージガス流が維持されうる。チャンバ112及び114の各々が、上述の素子を伴う排気システムを有する。
【００２４】
図３は、装置１００の排気ポンピング流の概略図である。ライン３０２は、各基板支持体１２４の基板支持エリア１３０（図１）と、真空源であるチャンバポンプとを接続する。ライン３０２は、導管１７０を通るように配置され、かつ、チャンバポンピングライン２１２に接続される。真空チャックが使用される場合、圧力コントローラ３０４がチャンバ圧と基板チャック圧とをモニタする。チャック力が一定になるよう、基板支持体１２４に配置された１つの基板の２つの主要面の間の圧力差を制御するために、圧力制御ガス３０６（典型的には、窒素、ヘリウム、又はアルゴンなどの非反応性ガス）が、チャンバポンピングライン２１２内に連結される。制流器３１６が背圧を提供して、流量制御を可能にする。圧力コントローラは、圧力差を制御するために、ライン３０２におけるバルブ３０８、チャンバポンピングライン２１２におけるバルブ310及び312、並びに、圧力制御ガス３０６のためのバルブ３１４を、調整する。圧力コントローラ３０４は、場合によっては、バルブ３１４を含みうる。この方式であれば、圧力コントローラは、処理チャンバ112、114から出るプロセスガスに暴露されない。
【００２５】
図4は、装置１００の処理チャンバ１１４のリッドエリアの詳細図である。図４は、リッド１０６に（この場合はボルトを使用して）留め付けられた、シャワーヘッド１９０を示している。Ｏリング４０４が、シャワーヘッドとリッドとの間の界面を密封している。シャワーヘッド１９０を通る孔４０２により、ガスが、シャワーヘッドを通ってチャンバ１１４に流入することが可能になる。ガスは、注入用入口４０６を通ってリッドに流入してディフューザー４０８に至り、ディフューザー４０８は、Ｏリング４１０によってリッド１０６に密封されている。ディフューザー４０８は、プレナム４１２と、ガスを分散させるための複数の開口４１４とを有してよく、ゆえに、ガスの噴出による熱不均一性を引き起こしうる、シャワーヘッド１９０の中央へのガス流の集中が、回避される。あるいは、ディフューザー４０８は、シャワーヘッド１９０の方にガスを流すために、多孔性の表面を有しうる。上述のように、処理チャンバ112、114の各々が、図４に示しているようなシャワーヘッドを有する。
【００２６】
図５は、リッド１０６及びその全ての付属物を伴う装置１００の、部分分解図であるが、リッド１０６及びその全ての付属物は、装置１００の内部フィーチャを図示するために除去されている。通路１２２及び凹部１５９が、壁ライナ１８０、フロアライナ１８２、及び熱ライナ１８４と同様に、視認可能である。処理チャンバ１１２は、ライナ180、182が設置されている状態で示されているが、処理チャンバ１１４は、分かりやすくするために、これらのライナが離間している状態で示されている。基板支持体１２４は、処理チャンバ１１２から離間して図示されており、処理チャンバ１１４については図示されていない。フロアライナ182は、基板支持体１２４の導管１７０を入れるための、開口５０６を有する。壁ライナ１８０は、各チャンバの基板の出入りを可能にするための開口５０２と、通路１２２（及び、図５には図示していないライナ１５６）から各チャンバ内へとガスを流すためのノッチ５０４とを有する。フロアライナ１８２も、リフトピン５１２が、基板支持エリア１３０まで又は基板支持エリア１３０から基板を搬送することを可能にするための、複数の開口５０８を有する。基板支持体１２４は、フロアライナ１８２の開口５０８と位置が合っている、開口５１０を有する。
【００２７】
図５の図は、装置１００の、図１の図とは反対の側であり、処理チャンバ112、114の各々につき１つの、基板アクセス開口５２２を示している。基板アクセス開口５２２の各々の特徴は、複数のパージガスポート５１６がまとめられて、複数のグループ５１４になっていることである。各パージガスポート５１６は、対応する導管５１８及びパージガス注入ポート５２０を有する。パージガス注入ポート５２０は、本体１０２の底部エッジに配置されており、パージガスのソースと本体１０２とが連結される場所を提供する。図５に示しているように、本体１０２は、リッドの近位の第１エッジと、第１エッジの反対側の第２エッジとを伴う外部壁を有し、パージガス入口は外部壁の第２エッジに形成され、かつ、外部壁を通る通路が、各基板アクセス開口と対応するパージガス入口とを流体的に連結している。処理中には、ドアが基板アクセス開口５２２を覆い、密封するので、パージガス注入ポート５２０と、導管５１８と、ポート５１６とを通って流れるパージガスが、基板アクセス開口５２２に流入し、チャンバの中央のチャンバ排気部に向かって流れる。これにより、プロセスガスが基板アクセス開口５２２に集積すること、及びそこに物質を堆積させることが、防止される。
【００２８】
上記は本発明の実施形態を対象としているが、本発明の基本的な範囲から逸脱せずに、本発明の他の実施形態及び更なる実施形態が考案されてよく、本発明の範囲は、以下の特許請求の範囲によって決まる。
【図１】
2019514214.tif 000003
【図２】
2019514214.tif 000004
【図３】
2019514214.tif 000005
【図４】
2019514214.tif 000006
【図５】
2019514214.tif 000007
【国際調査報告】
2019514214.tif 000008
2019514214.tif 000009